(57)【要約】      （修正有）【課題】非長方形の開閉窓を遮蔽できる自動車用ブラインドの提供。【解決手段】自動車の昇降式の開閉窓の窓ガラスの内側に取り付けて、窓ガラスを遮蔽できる自動車用ブラインド１であって、開閉窓の高さ方向途中に横向きに固定されるケース３を備えた巻取り具４と、窓ガラスの上側部分を遮蔽する上スクリーン５と、窓ガラスの下側部分を遮蔽する下スクリーン６と、巻取り具４のケース３を開閉窓に固定する固定具１１と、上スクリーン５の上縁部５ａを窓ガラスに係止する係止具１８を備えたものである。巻取り具４はケース３内に巻き芯が正逆回転可能に収容されており、巻き芯に上スクリーン５が周回されており、巻き芯は逆回転力が付勢されている。遮蔽により外部から車内への太陽光や紫外線の入射を遮断でき、外部から車内の透視を防止できるようにした。【選択図】図１
0003201608.tif 000002
【実用新案登録請求の範囲】
【請求項１】
自動車の昇降式の開閉窓の窓ガラスの内側に取り付けて、窓ガラスを遮蔽できる自動車用ブラインドであって、
前記開閉窓の高さ方向途中に横向きに固定されるケースを備えた巻取り具と、前記窓ガラスの上側部分を遮蔽する上スクリーンと、前記窓ガラスの下側部分を遮蔽する下スクリーンと、前記巻取り具のケースを開閉窓に固定する固定具と、上スクリーンの上縁部を窓ガラスに係止する係止具を備え、
前記巻取り具はケース内に巻き芯が正逆回転可能に収容されており、巻き芯に前記上スクリーンが周回されており、巻き芯は逆回転力が付勢されており、
前記上スクリーンは開閉窓の窓ガラスの上側部分を遮蔽できるように当該上側部分の形状と同じ又は略同じ形状であり、前記巻き芯に巻かれてケース内に収容されており、ケースの外に引くと前記巻き芯が正回転して前記ケースの外に引き出され、当該引き出しを解除すると前記逆回転力で逆回転して前記巻き芯に巻き取られて前記ケース内に引き込まれるようにしてあり、
前記下スクリーンは開閉窓の窓ガラスの下側部分を遮蔽できるように当該下側部分の形状と同じ又は略同じ形状であり、前記ケースの下に設けられており、
前記固定具は前記ケースに取り付けられており、当該ケースを前記開閉窓の窓枠に固定できるものである、
ことを特徴とする自動車用ブラインド。
【請求項２】
請求項１記載の自動車用ブラインドにおいて、
上スクリーンの上縁部に、上縁部の形状を保持する剛性の保持具を備えた、
ことを特徴とする自動車用ブラインド。
【請求項３】
自動車の昇降式の開閉窓の内側に、請求項１又は請求項２の自動車用ブラインドを取り付けたものであり、
巻取り具のケースが前記開閉窓の窓枠に固定されて、下スクリーンで開閉窓の窓ガラスの下側部分を遮蔽し、
上スクリーンの上縁部を開閉窓の窓ガラスに係止して、当該窓ガラスが上昇すると上スクリーンが前記ケースから引き出されて前記窓ガラスと共に上昇して窓ガラスの上側部分を遮蔽し、当該窓ガラスが降下すると前記上スクリーンが巻取り具の巻き芯に巻き取られてケース内に引き込まれるようにした、
ことを特徴とするブラインド付き開閉窓。
【考案の詳細な説明】
【技術分野】
【０００１】
本考案は、トラックや乗用車などの各種自動車のドアの、開閉窓の窓ガラスの内側に取付けて窓ガラスを遮蔽して、開閉窓から入り込む日差しの遮光、紫外線のカット、外部からの車内の透視を防止し車内のプライバシー確保が可能な自動車用ブラインドと、そのブラインドを取り付けたブラインド付き開閉窓に関するものである。
【背景技術】
【０００２】
前記遮光、紫外線カット、プライバシー保護等を目的に、自動車の窓ガラスにブラインドを取り付けて、車内を外部と遮蔽することがある。自動車用ブラインドとして、窓ガラスの昇降に連動して伸縮する遮光シートを備えたもの（特許文献１）が知られている。
【先行技術文献】
【特許文献】
【０００３】
【特許文献１】特開２０００−１９８３５２号公報
【考案の概要】
【考案が解決しようとする課題】
【０００４】
前記特許文献１記載の自動車用ブラインドの遮蔽シートは長方形であるため、開閉窓が図５のように上側部分は長方形であるが、下側部分が逆三角形のような形状の場合はその下側部分を遮蔽することができない。
【０００５】
本考案の解決課題は、開閉窓が長方形以外の他の形状であっても、窓ガラスの全面又は略全面をシートで遮蔽することができ、シートが窓ガラスの上昇により広げられて外部と遮蔽でき、窓ガラスの降下により巻き戻されて遮蔽が解除されるようにすることにある。
【課題を解決するための手段】
【０００６】
本考案の自動車用ブラインドは、自動車の昇降式の開閉窓の窓ガラスの内側に取り付けて、窓ガラスを遮蔽できる自動車用ブラインドであって、前記開閉窓の窓枠の高さ方向途中に横向きに固定されるケースを備えた巻取り具と、前記開閉窓のうち前記巻取り具よりも上側部分を遮蔽できる上スクリーンと、当該開閉窓のうち前記巻取り具よりも下側部分を遮蔽できる下スクリーンと、前記巻取り具のケースを開閉窓に固定する固定具と、上スクリーンの上縁部を窓ガラスに係止する係止具を備え、前記巻取り具はケース内に巻き芯が正逆回転可能に収容されており、その巻き芯には逆回転力が付勢されており、前記上スクリーンは開閉窓の窓ガラスの上側部分を遮蔽できるように当該上側部分の形状と同じ又は略同じ形状であり、前記巻き芯に巻かれてケース内に収容されており、上スクリーンの上縁部が引かれると巻き芯が正回転してケースの外に引き出され、その引きを解除すると巻き芯が前記逆回転力により逆回転してケース内に引き込まれるようにしてあり、前記下スクリーンは巻取り具を開閉窓に取り付けると窓ガラスの下側部分を遮蔽できるように当該下部の形状と同じ又は略同じ形状であり、前記ケースの下に設けられており、前記固定具はケースに取り付けられ、当該ケースを開閉窓の窓枠に固定できるものである。上スクリーンの上縁部に、上縁部の形状を保持する剛性の保持具を備えることもできる。
【０００７】
本考案のブラインド付き開閉窓は、自動車の昇降式の開閉窓の内側に、本考案の前記自動車用ブラインドを取り付けたものであり、巻取り具のケースを前記開閉窓の窓枠に固定して下スクリーンで開閉窓の窓ガラスの下側部分を遮蔽し、上スクリーンの上縁部を前記開閉窓の窓ガラスに係止して、当該窓ガラスが上昇すると上スクリーンがケースから引き出されて窓ガラスと共に上昇して窓ガラスの上側部分を遮蔽し、当該窓ガラスが降下すると前記上スクリーンが巻き芯に巻き戻されてケース内に引き込まれるようにしてある。
【考案の効果】
【０００８】
本考案の自動車用ブラインドは、次の効果を奏する。
（１）開閉窓の窓ガラスの上側部分を遮蔽する上スクリーンと、下側部分を遮蔽する下スクリーンを備えているため、方形以外の形状の開閉窓であっても、開閉窓の全面又は略前面を遮蔽することができ、日差しの遮断、紫外線のカット、外部からの車内の透視を防止し車内プライバシーの確保ができる。
（２）巻取り具のケースを開閉窓の窓枠に固定できる固定具を備えているので、窓枠への取り付けが容易である。
（３）窓ガラスの昇降に伴って自動的に遮蔽と解除が行われるため、上スクリーンを開閉するための手間がかからず使い勝手が良い。
【０００９】
本考案の自動車用ブラインド付き開閉窓は、次の効果を奏する。
（１）上スクリーンが窓ガラスの昇降に伴って自動的に開閉するので、上スクリーンの遮蔽、解除の操作が容易である。
（２）下スクリーンで窓ガラスの下側部分を遮蔽できるので、窓ガラスの下側部分が方形でなくても遮蔽できる。
【図面の簡単な説明】
【００１０】
【図１】本考案の自動車用ブラインドの一例を示すものであって、（ａ）は上スクリーンがケース内に収容された状態を示す斜視図、（ｂ）は上スクリーンをケース外に引き出した状態を示す斜視図。
【図２】本考案の自動車用ブラインドの動作を説明するものであって、（ａ）は自動車用ブラインドを窓枠に固定した状態を示す正面図、（ｂ）は上スクリーンが半分程度まで引き出された状態を示す正面図、（ｃ）は上スクリーンが開閉窓の上縁部まで引き出された状態を示す正面図。
【図３】ケースの下側に設けた固定具の一例を示すものであって、（ａ）はケース底面と窓枠の横枠に固定可能な固定具（広幅側固定具）の説明図、（ｂ）はケース底面と窓枠の下枠に固定可能な固定具（狭幅側固定具）の説明図。
【図４】（ａ）は本考案の自動車用ブラインドをトラックの開閉窓の内側に設置した場合の断面図、（ｂ）は上スクリーンに係止具を取り付けた状態の説明図。
【図５】一般的なトラックのドアを内側から見た場合の説明図。
【考案を実施するための形態】
【００１１】
（実施形態）
本考案の自動車用ブラインド１の一例を、図面を参照して説明する。図１（ａ）（ｂ）に示す自動車用ブラインド１は右側ドア用のものであるが、左側ドアには図１（ａ）（ｂ）に示す自動車用ブラインドと左右対称のものを使用する。
【００１２】
自動車用ブラインド１は、自動車の開閉窓Ｗ（図５）の内側に取り付けて開閉窓Ｗの窓ガラス２を遮蔽できるものであり、開閉窓Ｗに取り付け可能な横長のケース３を備えた巻取り具４と、そのケース３から引出すこともケース３内に巻き取ることもできる上スクリーン５と、ケース３の下に設けた下スクリーン６を備えている。
【００１３】
前記巻取り具４はそのケース３を図２（ａ）〜（ｃ）のように開閉窓Ｗの窓枠Ｆのうち横枠Ｆ１、Ｆ２の間に横向きに配置して一方の横枠Ｆ１と下枠Ｆ３に固定し、下スクリーン６を開閉窓Ｗの下部内側に垂らして窓ガラス２の下側部分２ａを遮蔽することができるようにしてある。また、上スクリーン５の上縁部５ａを開閉窓Ｗの窓ガラス２の上縁２ｂに係止して、窓ガラス２が上昇すると上スクリーン５がケース３から引き出されて窓ガラス２の内面に広がって窓ガラス２の上側部分２ｃを遮蔽することができ、窓ガラス２が降下すると上スクリーン５がケース３内に引き込まれるようにしてある。前記上スクリーン５、下スクリーン６の遮蔽により、車外から車内への日差しの遮光、紫外線カット、車外から車内の透視を防止し車内のプライバシーの確保ができる。
【００１４】
［巻取り具］
一例として図１（ａ）（ｂ）に示す巻取り具４は、細長いケース３内に細長の巻き芯（図示しない）が正逆回転自在に収容されており、当該巻き芯に上スクリーン５が周回されている。巻き芯には図示しないバネによって逆回転力（上スクリーン巻取り力）が常時付勢されている。巻き芯にはバネ以外の部材で逆回転力を付勢することもできる。この巻き取り機構は家屋や乗り物の窓のロールブラインドと同様の機構であってもよい。
【００１５】
［巻取り具のケース］
ケース３は長手方向両端が閉塞された筒状であり、外周面の一部（上部）に上スクリーン５を引き出し・引き込み可能な出入り口１０が開口されている。出入り口１０はケース３の長手方向に沿って開口されている。ケース３はプラスチック製、金属製といった各種材質製とすることができる。ケース３の長さは開閉窓Ｗの左右の横枠Ｆ１、Ｆ２間に収まる長さとしてある。
【００１６】
［巻取り具の固定具］
図３（ａ）（ｂ）に示すように、ケース３の長手方向一端には正面視横向きＬ字状の固定具（本願において「広幅側固定具」という）１１が、他端には正面視横向きＶ字状の固定具（本願において「狭幅側固定具」という）１２が設けられている。図３（ａ）に示すように、広幅側固定具１１の横辺１１ａと縦辺１１ｂの外側には固定手段として両面テープ１３ａ、１３ｂが設けられ、両面テープ１３ａをケース３の底面３ａに貼り付け、両面テープ１３ｂを窓枠Ｆの下枠Ｆ３に貼り付けることができるようにしてある。狭幅側固定具１２の横辺１２ａと斜め辺１２ｂの外側には、固定手段として両面テープ１４ａ、１４ｂが設けられ、両面テープ１４ａをケース３の底面３ａに、両面テープ１４ｂを窓枠Ｆの下枠Ｆ３に貼り付けられるようにしてある。両固定具１１、１２の形状はこれ以外であってもよく、窓枠Ｆや下スクリーン６の形状に合わせた各種形状とすることができる。また、両固定具１１、１２の固定手段は両面テープ以外のもの、例えば、面状ファスナーや接着剤などであってもよい。
【００１７】
［上スクリーン］
上スクリーン５は、窓ガラス２の上昇により引き上げられて開閉窓Ｗの窓ガラス２の上側部分（方形又は略方形部分）２ｃ（図５）を遮蔽することができる。一例として図１（ａ）（ｂ）に示すものは、正面視横長方形状のメッシュ材であり、その上縁部５ａに丸棒状のバー１５が取付けられている。この上スクリーン５は図１（ｂ）の左側が上方に向かってなだらかに湾曲しており、遮蔽時に窓ガラス２の上側部分２ｃの湾曲した側辺に添うようにしてある。上スクリーン５はメッシュ材以外のものであってもよく、その形状は窓ガラス２の上側部分２ｃの形状に合わせた形状であれば、図１（ｂ）に示す形状以外であってもよく、メッシュ以外のシート等であってもよい。上スクリーン５は黒色或いは半透明といった外部と遮蔽可能な色彩であって、ＵＶカットの可能な材質製のメッシュ、シート等が適する。
【００１８】
［保持板］
前記バー１５の下であって上スクリーン５の上縁部５ａには、細長平板状の保持板１６が固定されている。この保持板１６は上スクリーン５の上縁部５ａに横長方向の張り（テンション）を持たせて、上縁部５ａの形状を保持できるようにしたものであり、金属、樹脂等の剛性材で形成されている。
【００１９】
［ストッパー］
前記バー１５の長手方向中央付近にはストッパー１７が取り付けられている。このストッパー１７はバー１５の軸廻り方向に回転可能に取り付けてある。ストッパー１７は側面視Ｌ字状であり、上スクリーン５がケース３の出入り口１０からケース３内に巻き込まれた（巻き取られた）ときに、当該出入り口１０の周縁に係止して上スクリーン５の上縁部５ａがケース３内に引き込まれないようにしてある。
【００２０】
［係止具］
図４（ａ）（ｂ）に示すようにストッパー１６には係止具（フック）１８が連結されている。この係止具１８はストッパー１７にピン１９で取り付けられて、左右（バーの長手方向）に首振りできるようにしてある。この、係止具１８の上端部は下向きコ字状に折り返されて、開閉窓Ｗの窓ガラス１８の上縁に係止できるようにしてある。ストッパー１７と係止具１８は上スクリーン５の上縁部５ａの長手方向中央部のみならず、中央部とその左右箇所の計三箇所、或いは、中央部には設けずに長手方向両端寄りの二箇所に設ける等、上スクリーン５の上縁部５ａの長さに応じて適宜箇所に、適宜数設けることができる。係止具１８はフック以外のもの、例えば吸盤や両面テープなどであってもよい。これらの場合は、窓ガラス２の上縁２ｂに係止するのではなく、窓ガラス２の上側内面に固定することができる。
【００２１】
前記係止具１８を窓ガラス２の上縁２ｂに係止して、窓ガラス２を上昇させて開閉窓Ｗを閉めると、窓ガラス２の上昇により上スクリーン５がケース３の出入り口１０からケース３の上方に引き出されて開閉窓Ｗの窓ガラス２の上側部分２ｃの内側（内面）が上スクリーン５で遮蔽される。閉じてある窓ガラス２を降下させて開閉窓Ｗを開けると、巻き芯が逆回転して上スクリーン５がケース３の出入り口１０からケース３内に引き込まれて（巻き込まれて）開閉窓Ｗが開き、上スクリーン５による前記遮蔽が解除される。窓ガラス２の昇降は、窓ガラス２がパワーウインドの場合はその昇降により、手動昇降式の開閉窓の場合は手動操作で行うことができる。
【００２２】
［下スクリーン］
下スクリーン６は、窓ガラス２の下側部分（変形部分）２ａ（図５では三角形）の内側に垂下されており、その下側部分２ａを外部と遮蔽するものである。一例として図１（ａ）（ｂ）に示すものは、窓ガラス２の下側部分２ａを遮蔽可能な正面視三角形状のメッシュ材であり、下スクリーン６の下端側６ａを折り返して補強してある。下スクリーン６はメッシュ材以外のもの、例えば、半透明のシート等であってもよい。下スクリーン６の形状は窓ガラス２の下側部分２ａの形状に合わせた形状とすることができる。下スクリーン６も黒色或いは半透明といった遮蔽可能な色彩であって、ＵＶカットの可能な材質製のメッシュ、シート等が適する。上スクリーン５と同じ色彩、材質、特性のものを使用することができる。
【００２３】
この実施形態の下スクリーン６は垂下式のものであり、上縁部６ｂを接着剤或いは両面テープでケース３の背面に接着固定してあるが、下スクリーン６は可能であれば上スクリーン５と同様の巻き取り式とすることもできる。下スクリーン６は上スクリーン５のように、開閉窓Ｗの昇降動作を利用して上下させることができないため、下スクリーン６の引き出し、巻戻しは手動で行うことになるが、可能であれば、ケース３に下スクリーン６を巻き取るための巻き芯や逆回転力付勢用のバネ、出入り口等（いずれも図示しない）等を設けることができる。
【００２４】
（使用例）
本考案の自動車用ブラインドの使用例について、図面を参照して説明する。
（１）自動車用ブラインドの窓枠への固定
図２（ａ）に示すように、巻取り具４のケース３を開閉窓Ｗの内側であって、開閉窓Ｗの高さ方向中間部よりもやや下側（図５の仮想線付近）に固定する。ケース３の固定は前記した広幅固定具１１の横辺１１ａに設けられた両面テープ１３ａをケース３の底面３ａに固着し、縦辺１１ｂに設けられた両面テープ１３ｂを窓枠Ｆの横枠Ｆ１に固着し、狭幅固定具１２の横辺１２ａに設けられた両面テープ１４ａをケース３の底面３ａに固着し、斜め辺１２ｂに設けられた両面テープ１４ｂを窓枠Ｆの下枠Ｆ３に固着することによって窓枠Ｆに固定することができる。ケース３を窓枠Ｆに固定するとケース３から垂下している下スクリーン６によって窓ガラス２の下側部分２ａが遮蔽される。
（２）開閉窓への係止具の係止
前記（１）によって、ケース３を窓枠Ｆに固定した後、上スクリーン５の上縁部５ａに設けた係止具１８を、自動車の窓ガラス２の上縁２ｂに係止する。係止具１８は前記作業（１）の後、窓ガラス２を下げた状態（開閉窓Ｗを開けた状態）で係止するか、前記（１）の作業の前或いは途中で窓ガラス２に係止してもよい。
（３）上スクリーンによる遮蔽
前記（１）（２）によって自動車用ブラインド１を自動車の開閉窓Ｗの内側にセットしてから、窓ガラス２を図２（ｂ）（ｃ）のように上昇させると（開閉窓Ｗを閉めると）、当該窓ガラス２の上昇に伴って上スクリーン５がケース３内から引き上げられて窓ガラス２の内側に広げられて窓ガラス２の上側部分２ｃが遮蔽される。
（４）上スクリーンによる遮蔽の解除
上スクリーン５による前記遮蔽を解除するときは、窓ガラス２を降下させる（開閉窓Ｗを開ける）。この窓ガラス２の降下に伴って上スクリーン５が降下し（ケース３内に巻き込まれ）、上スクリーン５による開閉窓Ｗの上側部分２ｃの遮蔽が解除される。
【産業上の利用可能性】
【００２５】
本考案の自動車用ブラインド１は、各種自動車の上下に開閉する各種窓に取り付けて使用することができる。
【符号の説明】
【００２６】
１      自動車用ブラインド
２      （開閉窓の）窓ガラス
２ａ    （窓ガラスの）下側部分（変形部分）
２ｂ    （窓ガラスの）上縁
２ｃ    （窓ガラスの）上側部分（方形部分）
３      ケース
３ａ    （ケースの）底面
４      巻取り具
５      上スクリーン
５ａ    （上スクリーンの）上縁部
６      下スクリーン
６ａ    （下スクリーンの）下端側
６ｂ    （下スクリーンの）上縁部
１０    （ケースの）出入り口
１１    固定具（広幅側固定具）
１１ａ  （広幅側固定具の）横辺
１１ｂ  （広幅側固定具の）縦辺
１２    固定具（狭幅側固定具）
１２ａ  （狭幅側固定具の）横辺
１２ｂ  （狭幅側固定具の）斜め辺
１３ａ、１３ｂ  （広幅側固定具の）両面テープ
１４ａ、１４ｂ  （狭幅側固定具の）両面テープ
１５    バー
１６    保持板
１７    ストッパー
１８    係止具
１９    ピン
Ｄ      ドア
Ｆ      窓枠
Ｆ１、Ｆ２  （窓枠の）横枠
Ｆ３    （窓枠の）下枠
Ｗ      開閉窓
【図１】
0003201608.tif 000003
【図２】
0003201608.tif 000004
【図３】
0003201608.tif 000005
【図４】
0003201608.tif 000006
【図５】
0003201608.tif 000007